(57)【要約】【課題】  意匠パネルが曲面状であっても、安価な構成により、表示パターンに奥行き感のある斬新な見栄えをもたせることができるようにした意匠パネルおよびそれを用いた空気調和機を提供する。【解決手段】  表面に光拡散処理部３と、光を透過する表示パターン部４とを備え、裏面に反射部５を備えた透明部材２により意匠パネル１を構成した。これにより、意匠パネル１の奥行き感のある斬新な見栄えを安価な構成で実現できるようになり、例えば空気調和機に用いることで、商品としての意匠性を高めて高級感を印象づけることができるようになる。【選択図】  図２
2007155196.tif 000002
【特許請求の範囲】
【請求項１】
表面に光拡散処理部と、光を透過する表示パターン部とを備え、裏面に反射部を備えた透明部材からなることを特徴とする意匠パネル。
【請求項２】
少なくとも前記表示パターン部が平面状または曲面状に形成されてなることを特徴とする請求項１に記載の意匠パネル。
【請求項３】
請求項１または請求項２に記載の意匠パネルが用いられてなることを特徴とする空気調和機。
【発明の詳細な説明】
【技術分野】
【０００１】
本発明は、社名や商品のネーミングなどを表示する意匠パネルおよびそれを用いた空気調和機に係わり、より詳細には、意匠パネルが曲面状であっても、安価な構成により表示パターンに奥行き感のある斬新な見栄えをもたせるようにした構造に関する。
【背景技術】
【０００２】
従来の表示装置およびその意匠パネル（表示板）は、表示パターンに奥行き感のある斬新な見栄えをもたせるものとして、透明なシートでなり、このシートの表面にはシボ層が形成されており、シボ層の表面には表示パターンが印刷されており、シートの裏面にはハーフミラーフィルムが貼着されているというものがあった（例えば、特許文献１参照。）。
【０００３】
しかしながら、上述した特許文献１においては、平面状の表示面に施すものであって、表示パターンを凸にし、裏面に鏡面を施すことで奥行き感を出す工夫がされているが、表示パターンを二次加工（印刷）することでコスト高になってしまったり、また、曲面状の表示面に対しては平面状の表示面の場合と同じような奥行き感を出すことができないという問題点があった。
【０００４】
【特許文献１】特開平１０−２６５４３号公報
【発明の開示】
【発明が解決しようとする課題】
【０００５】
そこで、本発明は上述した課題を解決するためになされたものであって、その目的は、意匠パネルが曲面状であっても、安価な構成により、表示パターンに奥行き感のある斬新な見栄えをもたせることができるようにした意匠パネルおよびそれを用いた空気調和機を提供することにある。
【課題を解決するための手段】
【０００６】
上述した目的を達成するため、本発明は以下に示す特徴を備えている。
表面に光拡散処理部と、光を透過する表示パターン部とを備え、裏面に反射部を備えた透明部材からなることを特徴としている。
【０００７】
少なくとも前記表示パターン部が平面状または曲面状に形成されてなることを特徴としている。
【０００８】
更に、上記構成でなる意匠パネルが空気調和機に用いられてなることを特徴としている。
【発明の効果】
【０００９】
本発明によれば、表面に光拡散処理部と、光を透過する表示パターン部とを備え、裏面に反射部を備えた透明部材からなることを特徴としているので、意匠パネルが曲面状であっても、安価な構成により、表示パターンに奥行き感のある斬新な見栄えをもたせることができるようにした意匠パネルおよびそれを用いた空気調和機を提供できる。
【発明を実施するための最良の形態】
【００１０】
次に、本発明の実施形態について図面を参照しながら説明する。
図１は本発明による意匠パネルの説明図で、（Ａ）は正面図、（Ｂ）は底面図、（Ｃ）は側面図であり、図２は図１（Ａ）に示すＡ−Ａ断面図であり、図３は本発明による意匠パネルの説明図で、表示パターンの奥行き感を感じる見え方を示す斜視図であり、図４および図５は本発明による意匠パネルが用いられた空気調和機の斜視図である。
【実施例１】
【００１１】
本発明による意匠パネル１は、実施例１として図１（Ａ）乃至図１（Ｃ）に示すように透明部材２を用いることによって射出成形される構成になっており、社名や商品のネーミングなどを表示したり、デザイン類の表示をするようにしてもよく、また、例えば図４に示す空気調和機ａのように、意匠性を重要視する前面パネルに表示板として添設するようにしたり、または、図５に示す空気調和機ａのように、こうした前面パネルにデザイン類の表示をすることで、前面パネル自体を本発明による意匠パネルとして構成するようにしてもよい。
【００１２】
前記意匠パネル１は、図１（Ａ）に示す正面図のように、前記透明部材２の表面に設けられたハッチングで示す光拡散処理のためのシボ加工による光拡散処理部３と、白抜きの英文字ＡＩＲで示す光を透過する表示パターン部４とを備え、また、図１（Ｂ）に示す底面図および図１（Ｃ）に示す側面図のように、正面が曲面状に形成され、且つ正面と四側面との各コーナー部が曲面状に形成されるとともに、裏面には、裏面全体にホットスタンプもしくはミラー印刷などによる鏡面処理を施した反射部５を備えた構成になっている。
【００１３】
前記光拡散処理部３および前記表示パターン部４は、射出成形用の金型へのマスキングシボ加工を部分的に行うことによってこれらの両方が施されるようになっており、前記光拡散処理部３を形成するための特別な二次加工を行う必要がなく、また、前記意匠パネル１の表面が曲面状であったとしても、抜き勾配を抑えることで成形処理が可能になっているため、コスト的に有利であって製作しやすい構成になっている。
【００１４】
上記構成でなる意匠パネル１に、室内照明の光が照射されることで、図２に示すように、室内光の一部が前記表示パターン部４が前記反射部５に光L1として映し出され、同時に、前記光拡散処理部3aおよび3bの影も前記反射部５に影S1およびS2として映し出されることになる。
【００１５】
ユーザがこの状態を図２に示す視点Ｅから見ることで、図３に示す前記表示パターン部４のように、前記光拡散処理部3aからは拡散された拡散処理部の影P1、前記表示パターン部４からは透過した状態である拡散処理部の影P2と鏡面部P3、前記光拡散処理部3bからは拡散された光P4と拡散された拡散処理部の影P1とが見れることで奥行き感を感じる見え方になる。
【００１６】
前記空気調和機ａは、図４に示すように、吸込口ｂと吹出口ｃとを結ぶ空気通路に図示しない熱交換器と送風ファンとを設け、前記吸込口ｂから吸い込まれた空気を前記熱交換器で熱交換したのち、前記送風ファンによって前記吹出口ｃから被空調室に吹き出して空気調和を行うようになっており、本体の正面には、前記空気調和機ａのネーミングを表示する前記意匠パネル１が設けられることによって、安価な構成で商品としての意匠性を高めて高級感を印象づけることができるようになる。
【００１７】
また、前記空気調和機ａは、図５に示すように、上述した構成と同様に、吸込口ｂと吹出口ｃとを結ぶ空気通路に図示しない熱交換器と送風ファンとを設け、前記吸込口ｂから吸い込まれた空気を前記熱交換器で熱交換したのち、前記送風ファンによって前記吹出口ｃから被空調室に吹き出して空気調和を行うようになっており、とくに、本体正面の前面パネルにデザイン類の表示をすることで、前面パネル自体を本発明による意匠パネルとした構成にすることによって、別部材からなる表示板を用いることなく、より安価な構成で商品としての意匠性を高めて高級感を印象づけることができるようになる。
【００１８】
前記意匠パネル１に設けられた光拡散処理部３は、図１（Ａ）乃至図１（Ｃ）および図３に示すように、前記表示パターン部４以外の広い領域面に施すようになっていることから、見る角度による前記反射部５の大きな色の変化を抑えることができるようになっており、また、グラデーションをつけることで斬新な見え方ができるようになっている。
【００１９】
前記表示パターン部４は透明であることから、裏面全体に二次加工として鏡面となるホットスタンプもしくはミラー印刷を施すことで前記反射部５を構成して、正面から見て表示パターンのみが前記反射部５に見えるようになるため、上述した二次加工のコストを抑えることができるようになっている。
【００２０】
また、前記意匠パネル１は小型形状であって複数取りの金型を想定できることから、予め前記光拡散処理部３のバリエーションを複数の金型に施しておくことにより、裏面全体に前記反射部５を構成するだけで、複数のバリエーションでなる意匠パネルを用いた前記空気調和機ａとしての商品群をラインアップできるようになる。
【００２１】
なお、前記反射部５の色を変えることで商品群のカラーバリエーションに対応できるようになり、また、前記意匠パネル１の素材（前記透明部材２）に着色することでも商品群のカラーバリエーションに対応できるようになる。
【図面の簡単な説明】
【００２２】
【図１】本発明による意匠パネルの説明図で、（Ａ）は正面図であり、（Ｂ）は底面図であり、（Ｃ）は側面図である。
【図２】図１（Ａ）に示すＡ−Ａ断面図である。
【図３】本発明による意匠パネルの説明図で、表示文字やパターンの奥行き感を感じる見え方を示す斜視図である。
【図４】本発明による意匠パネルが用いられた空気調和機を示す斜視図である。
【図５】本発明による意匠パネルが前面パネルとして用いられた空気調和機を示す斜視図である。
【符号の説明】
【００２３】
１  意匠パネル
２  透明部材
３、3a、3b  光拡散処理部
４  表示パターン部
５  反射部
ａ  空気調和機
ｂ  吸込口
ｃ  吹出口
【図１】
2007155196.tif 000003
【図２】
2007155196.tif 000004
【図３】
2007155196.tif 000005
【図４】
2007155196.tif 000006
【図５】
2007155196.tif 000007